(57)【要約】【課題】設置工事の負担を軽減するため、各種登録情報を各ＩＰ電話端末に設定できるようにする。【解決手段】ＩＰ電話端末２の設置工事の際、ＬＡＮへの接続に応じてＩＰ電話端末２から情報設定要求を送信し、この情報設定要求に応じて、ＩＰ電話端末設定装置１からＩＰ電話端末２へ動作制御用の情報として用いる各種登録情報を送信する。【選択図】  図１
2006074119.tif 000002
【特許請求の範囲】
【請求項１】
ＩＰ網を介して音声パケットを送受信することによりＶｏＩＰ音声通話を行う複数のＩＰ電話端末とＬＡＮを介して接続されて、前記ＩＰ電話端末と各種制御パケットをやり取りすることにより、前記ＩＰ電話端末で動作制御用の情報として登録して用いる所定の登録情報を前記ＩＰ電話端末に対して送信するＩＰ電話端末設定装置であって、
前記ＩＰ電話端末の内線番号と対応付けて前記登録情報を記憶する記憶部と、
前記ＬＡＮを介して前記ＩＰ電話端末から送信された情報設定要求の受信に応じて、その情報設定要求に含まれる当該ＩＰ電話端末の内線番号に対応する登録情報を前記記憶部から取得し、その前記登録情報を当該ＩＰ電話端末へ送信する端末設定手段と
を備えることを特徴とするＩＰ電話端末設定装置。
【請求項２】
請求項１に記載のＩＰ電話端末設定装置において、
前記ＩＰ電話端末から送信されたアドレス割当要求に応じて、前記端末設定手段での前記ＩＰ電話端末への情報設定に用いる任意のＩＰアドレスを当該ＩＰ電話端末へ割り当てるアドレス割当手段をさらに備えることを特徴とするＩＰ電話端末設定装置。
【請求項３】
請求項１に記載のＩＰ電話端末設定装置において、
前記端末設定手段は、前記ＩＰ電話端末で前記情報設定要求の宛先アドレスに用いる管理用ＩＰアドレスとして当該ＩＰ電話端末設定装置以外のＩＰアドレスを設定する内容を含む前記登録情報を送信することを特徴とするＩＰ電話端末設定装置。
【請求項４】
ＩＰ網を介して音声パケットを送受信することによりＶｏＩＰ音声通話を行うとともに、ＬＡＮを介して接続されたＩＰ電話端末設定装置と各種制御パケットをやり取りすることにより、当該ＩＰ電話端末で動作制御用の情報として用いる所定の登録情報を登録するＩＰ電話端末であって、
前記登録情報を記憶する記憶部と、
前記登録情報に設定されている当該ＩＰ電話端末に固有の内線番号を含む情報設定要求を前記ＬＡＮを介して前記ＩＰ電話端末設定装置へ送信するとともに、これに応じて前記ＩＰ電話端末設定装置から送信された登録情報を受信し前記動作制御用の情報として前記記憶部へ登録する設定手段と
を備えることを特徴とするＩＰ電話端末。
【請求項５】
請求項４に記載のＩＰ電話端末において、
前記記憶部は、当該ＩＰ電話端末の端末ＩＰアドレスと、この端末ＩＰアドレスの割当要否を示す割当要否情報とを記憶し、
前記設定手段は、前記ＬＡＮへの接続検出に応じて前記割当要否情報を確認し、前記割当要否情報が割当要を示す場合には当該ＩＰ電話端末への端末ＩＰアドレスの割り当てを要求するアドレス割当要求を前記ＬＡＮへ送信し、これに応じて受信したアドレス割当指示に基づき当該ＩＰ電話端末の端末ＩＰアドレスを更新した後、当該端末ＩＰアドレスを用いて前記情報設定要求を送信し、前記割当要否情報が割当不要を示す場合には、前記記憶部で記憶されている端末ＩＰアドレスを用いて前記情報設定要求を送信することを特徴とするＩＰ電話端末。
【請求項６】
請求項４に記載のＩＰ電話端末において、
前記記憶部は、前記情報設定要求の宛先を示す管理用ＩＰアドレスとして前記ＩＰ電話端末設定装置のＩＰアドレスを予め記憶し、
前記設定手段は、前記管理用ＩＰアドレスに基づき前記情報設定要求を前記ＩＰ電話端末設定装置へ送信し、前記ＩＰ電話端末設定装置からの前記登録情報を前記動作制御用の情報として前記記憶部へ登録することにより、前記管理用ＩＰアドレスを当該ＩＰ電話端末設定装置以外のＩＰアドレスへ変更することを特徴とするＩＰ電話端末。
【請求項７】
ＩＰ網を介して音声パケットを送受信することによりＶｏＩＰ音声通話を行う複数のＩＰ電話端末とＬＡＮを介して接続されて、前記ＩＰ電話端末と各種制御パケットをやり取りすることにより、前記ＩＰ電話端末で動作制御用の情報として登録して用いる所定の登録情報を前記ＩＰ電話端末に対して送信するＩＰ電話端末設定装置のコンピュータに、
前記ＩＰ電話端末の内線番号と対応付けて前記登録情報を記憶部で記憶する記憶ステップと、
前記ＬＡＮを介して前記ＩＰ電話端末から送信された情報設定要求の受信に応じて、その情報設定要求に含まれる当該ＩＰ電話端末の内線番号に対応する登録情報を前記記憶部から取得し、その前記登録情報を当該ＩＰ電話端末へ送信する端末設定ステップと
を実行させるプログラム。
【請求項８】
請求項７に記載のプログラムにおいて、
前記ＩＰ電話端末から送信されたアドレス割当要求に応じて、前記端末設定手段での前記ＩＰ電話端末への情報設定に用いる任意のＩＰアドレスを当該ＩＰ電話端末へ割り当てるアドレス割当ステップをさらに実行させるプログラム。
【請求項９】
請求項７に記載のプログラムにおいて、
前記端末設定ステップで、前記ＩＰ電話端末で前記情報設定要求の宛先アドレスに用いる管理用ＩＰアドレスとして当該ＩＰ電話端末設定装置以外のＩＰアドレスを設定する内容を含む前記登録情報を送信するステップを実行させるプログラム。
【請求項１０】
ＩＰ網を介して音声パケットを送受信することによりＶｏＩＰ音声通話を行うとともに、ＬＡＮを介して接続されたＩＰ電話端末設定装置と各種制御パケットをやり取りすることにより、当該ＩＰ電話端末で動作制御用の情報として用いる所定の登録情報を登録するＩＰ電話端末のコンピュータに、
前記登録情報を記憶部で記憶するステップと、
前記登録情報に設定されている当該ＩＰ電話端末に固有の内線番号を含む情報設定要求を前記ＬＡＮを介して前記ＩＰ電話端末設定装置へ送信するとともに、これに応じて前記ＩＰ電話端末設定装置から送信された登録情報を受信し前記動作制御用の情報として前記記憶部へ登録する設定ステップと
を実行させるプログラム。
【請求項１１】
請求項１０に記載のプログラムにおいて、
前記記憶部で当該ＩＰ電話端末の端末ＩＰアドレスと、この端末ＩＰアドレスの割当要否を示す割当要否情報とを記憶するステップをさらに実行させ、
前記設定ステップで、前記ＬＡＮへの接続検出に応じて前記割当要否情報を確認し、前記割当要否情報が割当要を示す場合には当該ＩＰ電話端末への端末ＩＰアドレスの割り当てを要求するアドレス割当要求を前記ＬＡＮへ送信するステップと、これに応じて受信したアドレス割当指示に基づき当該ＩＰ電話端末の端末ＩＰアドレスを更新した後、当該端末ＩＰアドレスを用いて前記情報設定要求を送信するステップと、前記割当要否情報が割当不要を示す場合には、前記記憶部で記憶されている端末ＩＰアドレスを用いて前記情報設定要求を送信するステップとを実行させるプログラム。
【請求項１２】
請求項１０に記載のプログラムにおいて、
前記記憶部で前記情報設定要求の宛先を示す管理用ＩＰアドレスとして前記ＩＰ電話端末設定装置のＩＰアドレスを予め記憶するステップをさらに実行させ、
前記設定ステップで、前記管理用ＩＰアドレスに基づき前記情報設定要求を前記ＩＰ電話端末設定装置へ送信するステップと、前記ＩＰ電話端末設定装置からの登録情報を前記動作制御用の情報として前記記憶部へ登録することにより、前記管理用ＩＰアドレスを当該ＩＰ電話端末設定装置以外のＩＰアドレスへ変更するステップとを実行させるプログラム。
【発明の詳細な説明】
【技術分野】
【０００１】
本発明は、ＩＰ電話通信技術に関し、特にＩＰ電話端末設定装置にＩＰ電話端末を接続して各種登録情報を各ＩＰ電話端末へ設定する情報設定技術に関する。
【背景技術】
【０００２】
ＩＰ電話端末は、インターネットに代表されるＩＰ網を介して音声パケットを送受信することにより、ＶｏＩＰ（Voice over IP）音声通話を実現する電話装置である。このようなＩＰ電話端末は、一般的な公衆電話網を利用する場合と比較して通話コストが安価であることから多くの注目を集めており、特に多数の電話端末を内線収容する電話システムすなわちＩＰ電話システムへの適用が進んでいる。
【０００３】
この種のＩＰ電話システムでは、ＬＡＮを介して複数のＩＰ電話端末を呼制御サーバ（ＩＰ−ＰＢＸなど）に接続し、これらＩＰ電話端末に対して、例えば外線通話サービスだけでなくＩＰ電話端末間を結ぶ内線通話サービスなど、各種のサービスを提供する。
したがって、ＩＰ電話端末を設置する場合、当該ＩＰ電話システムにおいて各種サービスを提供するため、動作制御用の情報として各種登録情報を各ＩＰ電話端末ごとに設定する必要がある。例えば、外線通話サービスや内線通話サービスを行うには、各ＩＰ電話端末に呼制御サーバのＩＰアドレスや当該端末の内線番号を設定する必要がある。
【０００４】
従来、複数の電話端末を収容するボタン電話装置などの集線交換装置では、各電話端末を個別に収容する各接続回線について電話端末の物理的接続を監視し、電話端末の物理的接続が検出された場合は、その電話端末の接続が検出された接続回線すなわち収容位置に割り当てられている内線番号を確認し、その内線番号に対応して予め蓄積されている登録情報を当該電話端末へ送信して登録するものとなっている。また、集線交換装置から電話端末の接続回線に対して所定の信号を送出し、その信号の反射を検出して電話端末の物理的接続を検出するものとなっている（特許文献１など参照）。
【０００５】
しかし、集線交換装置では、電話端末の収容位置に割り当てられている内線番号を確認し、その内線番号に対応して予め蓄積されている登録情報を当該電話端末へ送信して登録するものとなっているため、各ＩＰ電話端末が共通に接続されるＬＡＮを介して各ＩＰ電話端末を収容し、ＩＰ電話端末ごとに個別の接続回線がなく収容位置が固定的に決定されないＩＰ電話システムには容易に適用できない。したがって、ＩＰ電話システムに適したＩＰ電話端末設定技術が必要となる。
【０００６】
なお、出願人は、本明細書に記載した先行技術文献情報で特定される先行技術文献以外には、本発明に関連する先行技術文献を出願時までに発見するには至らなかった。
【特許文献１】特開２００２−０８４５５９号公報
【発明の開示】
【発明が解決しようとする課題】
【０００７】
このようなＩＰ電話システムに適したＩＰ電話端末設定技術として、各ＩＰ電話端末がＬＡＮに共通接続されるというＩＰ電話システムの接続形態を生かし、ＩＰ電話端末がＬＡＮに接続された順番でそれぞれのＩＰ電話端末へ内線番号を割り当てるとともに、その内線番号に対応する登録情報をそれぞれのＩＰ電話端末へ登録する方法が考えられる。
【０００８】
しかしながら、このようなＩＰ電話端末の設定方法では、各ＩＰ電話端末に所望の内線番号を割り当てたい場合、設置工事の際にＩＰ電話端末の接続順を内線番号に従って管理する必要があり、多くのＩＰ電話端末を設置する場合には、その作業負担が大幅に増大するという問題点があった。
本発明はこのような課題を解決するためのものであり、ＬＡＮに共通接続される各ＩＰ電話端末に対して、その接続順に限定されることなく、それぞれのＩＰ電話端末の内線番号に対応する登録情報を容易に設定できるＩＰ電話端末設定装置、ＩＰ電話端末、およびプログラムを提供することを目的としている。
【課題を解決するための手段】
【０００９】
このような目的を達成するために、本発明にかかるＩＰ電話端末設定装置は、ＩＰ網を介して音声パケットを送受信することによりＶｏＩＰ音声通話を行う複数のＩＰ電話端末とＬＡＮを介して接続されて、ＩＰ電話端末と各種制御パケットをやり取りすることにより、ＩＰ電話端末で動作制御用の情報として登録して用いる所定の登録情報をＩＰ電話端末に対して送信するＩＰ電話端末設定装置であって、ＩＰ電話端末の内線番号と対応付けて登録情報を記憶する記憶部と、ＬＡＮを介してＩＰ電話端末から送信された情報設定要求の受信に応じて、その情報設定要求に含まれる当該ＩＰ電話端末の内線番号に対応する登録情報を記憶部から取得し、その登録情報を当該ＩＰ電話端末へ送信する端末設定手段とを備える。
【００１０】
この際、ＩＰ電話端末から送信されたアドレス割当要求に応じて、端末設定手段でのＩＰ電話端末への情報設定に用いる任意のＩＰアドレスを当該ＩＰ電話端末へ割り当てるアドレス割当手段をさらに設けてもよい。
【００１１】
また、端末設定手段で、ＩＰ電話端末で情報設定要求の宛先アドレスに用いる管理用ＩＰアドレスとして当該ＩＰ電話端末設定装置以外のＩＰアドレスを設定する内容を含む登録情報を送信するようにしてもよい。
【００１２】
また、本発明にかかるＩＰ電話端末は、ＩＰ網を介して音声パケットを送受信することによりＶｏＩＰ音声通話を行うとともに、ＬＡＮを介して接続されたＩＰ電話端末設定装置と各種制御パケットをやり取りすることにより、当該ＩＰ電話端末で動作制御用の情報として用いる所定の登録情報を登録するＩＰ電話端末であって、登録情報を記憶する記憶部と、登録情報に設定されている当該ＩＰ電話端末に固有の内線番号を含む情報設定要求をＬＡＮを介してＩＰ電話端末設定装置へ送信するとともに、これに応じてＩＰ電話端末設定装置から送信された登録情報を受信し動作制御用の情報として記憶部へ登録する設定手段とを備える。
【００１３】
この際、記憶部で、当該ＩＰ電話端末の端末ＩＰアドレスと、この端末ＩＰアドレスの割当要否を示す割当要否情報とを記憶し、設定手段で、ＬＡＮへの接続検出に応じて割当要否情報を確認し、割当要否情報が割当要を示す場合には当該ＩＰ電話端末への端末ＩＰアドレスの割り当てを要求するアドレス割当要求をＬＡＮへ送信し、これに応じて受信したアドレス割当指示に基づき当該ＩＰ電話端末の端末ＩＰアドレスを更新した後、当該端末ＩＰアドレスを用いて情報設定要求を送信し、割当要否情報が割当不要を示す場合には、記憶部で記憶されている端末ＩＰアドレスを用いて情報設定要求を送信するようにしてもよい。
【００１４】
また、記憶部で、情報設定要求の宛先を示す管理用ＩＰアドレスとしてＩＰ電話端末設定装置のＩＰアドレスを予め記憶し、設定手段で、管理用ＩＰアドレスに基づき情報設定要求をＩＰ電話端末設定装置へ送信し、ＩＰ電話端末設定装置からの登録情報を動作制御用の情報として記憶部へ登録することにより、管理用ＩＰアドレスを当該ＩＰ電話端末設定装置以外のＩＰアドレスへ変更するようにしてもよい。
【００１５】
また、本発明にかかるプログラムは、ＩＰ網を介して音声パケットを送受信することによりＶｏＩＰ音声通話を行う複数のＩＰ電話端末とＬＡＮを介して接続されて、ＩＰ電話端末と各種制御パケットをやり取りすることにより、ＩＰ電話端末で動作制御用の情報として登録して用いる所定の登録情報をＩＰ電話端末に対して送信するＩＰ電話端末設定装置のコンピュータに、ＩＰ電話端末の内線番号と対応付けて登録情報を記憶部で記憶する記憶ステップと、ＬＡＮを介してＩＰ電話端末から送信された情報設定要求の受信に応じて、その情報設定要求に含まれる当該ＩＰ電話端末の内線番号に対応する登録情報を記憶部から取得し、その登録情報を当該ＩＰ電話端末へ送信する端末設定ステップとを実行させる。
【００１６】
この際、ＩＰ電話端末から送信されたアドレス割当要求に応じて、端末設定手段でのＩＰ電話端末への情報設定に用いる任意のＩＰアドレスを当該ＩＰ電話端末へ割り当てるアドレス割当ステップをさらに実行させるようにしてもよい。
【００１７】
また、端末設定ステップで、ＩＰ電話端末で情報設定要求の宛先アドレスに用いる管理用ＩＰアドレスとして当該ＩＰ電話端末設定装置以外のＩＰアドレスを設定する内容を含む登録情報を送信するステップを実行させるようにしてもよい。
【００１８】
また、本発明にかかる他のプログラムは、ＩＰ網を介して音声パケットを送受信することによりＶｏＩＰ音声通話を行うとともに、ＬＡＮを介して接続されたＩＰ電話端末設定装置と各種制御パケットをやり取りすることにより、当該ＩＰ電話端末で動作制御用の情報として用いる所定の登録情報を登録するＩＰ電話端末のコンピュータに、登録情報を記憶部で記憶するステップと、登録情報に設定されている当該ＩＰ電話端末に固有の内線番号を含む情報設定要求をＬＡＮを介してＩＰ電話端末設定装置へ送信するとともに、これに応じてＩＰ電話端末設定装置から送信された登録情報を受信し動作制御用の情報として記憶部へ登録する設定ステップとを実行させる。
【００１９】
この際、記憶部で当該ＩＰ電話端末の端末ＩＰアドレスと、この端末ＩＰアドレスの割当要否を示す割当要否情報とを記憶するステップをさらに実行させ、設定ステップで、ＬＡＮへの接続検出に応じて割当要否情報を確認し、割当要否情報が割当要を示す場合には当該ＩＰ電話端末への端末ＩＰアドレスの割り当てを要求するアドレス割当要求をＬＡＮへ送信するステップと、これに応じて受信したアドレス割当指示に基づき当該ＩＰ電話端末の端末ＩＰアドレスを更新した後、当該端末ＩＰアドレスを用いて情報設定要求を送信するステップと、割当要否情報が割当不要を示す場合には、記憶部で記憶されている端末ＩＰアドレスを用いて情報設定要求を送信するステップとを実行させるようにしてもよい。
【００２０】
また、記憶部で情報設定要求の宛先を示す管理用ＩＰアドレスとしてＩＰ電話端末設定装置のＩＰアドレスを予め記憶するステップをさらに実行させ、設定ステップで、管理用ＩＰアドレスに基づき情報設定要求をＩＰ電話端末設定装置へ送信するステップと、ＩＰ電話端末設定装置からの登録情報を動作制御用の情報として記憶部へ登録することにより、管理用ＩＰアドレスを当該ＩＰ電話端末設定装置以外のＩＰアドレスへ変更するステップとを実行させるようにしてもよい。
【発明の効果】
【００２１】
本発明によれば、ＩＰ電話端末設定装置の端末設定手段で、ＬＡＮへ接続された当該ＩＰ電話端末から送信された情報設定要求の受信に応じて、その情報設定要求に含まれる当該ＩＰ電話端末の内線番号に対応する登録情報が記憶部から取得されて当該ＩＰ電話端末へ送信されるため、各ＩＰ電話端末の内線番号に応じた登録情報が自動的に各ＩＰ電話端末へ設定される。
したがって、ＬＡＮに対するＩＰ電話端末の接続順を管理することなく、任意のＩＰ電話端末に対して、その内線番号に一致した登録情報を容易に設定することができ、ＩＰ電話端末の設置に要する作業負担を大幅に軽減できる。
【発明を実施するための最良の形態】
【００２２】
次に、本発明の実施の形態について図面を参照して説明する。
［第１の実施の形態］
まず、図１を参照して、本発明にかかる第１の実施の形態について説明する。図１は、本発明の第１の実施の形態にかかるＩＰ電話端末設定装置およびＩＰ電話端末の設置工事の際の接続例を示すブロック図である。
【００２３】
図１において、ＩＰ電話端末２は、ＩＰ網（図示せず）を介して音声パケットを送受信することにより、ＶｏＩＰ音声通話を実現する電話装置である。ＩＰ電話端末設定装置１は、ハブ（ＨＵＢ）３からなるＬＡＮを介して各ＩＰ電話端末２と接続し、これらＩＰ電話端末２の動作制御用の情報として登録して用いる設定情報やプログラムなどの各種登録情報を各ＩＰ電話端末２へ送信する情報処理装置である。
【００２４】
本実施の形態では、ＩＰ電話端末２の設置工事の際、これらＩＰ電話端末２を、例えばハブ３などのＬＡＮを介してＩＰ電話端末設定装置１に接続し、ＩＰ電話端末設定装置１において、これらＩＰ電話端末２からの情報設定要求に応じて、その情報設定要求に含まれる当該ＩＰ電話端末の内線番号に対応する登録情報を記憶部から取得し、その登録情報を当該ＩＰ電話端末へ送信するようにしたものである。
【００２５】
［ＩＰ電話端末設定装置］
次に、図２を参照して、本発明の第１の実施の形態にかかるＩＰ電話端末設定装置１について詳細に説明する。図２は、本発明の第１の実施の形態にかかるＩＰ電話端末設定装置の構成を示すブロック図である。
このＩＰ電話端末設定装置１は、全体としてコンピュータを有する情報処理装置からなり、通信インターフェース部（以下、通信Ｉ／Ｆ部という）１１、画面表示部１２、操作入力部１３、記憶部１４、および制御部１５が設けられている。
【００２６】
通信Ｉ／Ｆ部１１は、ＬＡＮを介してＩＰ電話端末２との間で各種制御パケットを送受信する回路部である。
画面表示部１２は、ＬＣＤやＣＲＴなどからなり、制御部１５からの指示に応じて各種情報を画面表示する画面表示装置である。
操作入力部１３は、キーボードやマウスなどからなり、オペレータの操作を検出して制御部１５へ出力する操作入力装置である。
【００２７】
記憶部１４は、ハードディスクやメモリなどからなり、制御部１５での処理動作に用いる各種情報を記憶する記憶装置である。この記憶部１４で記憶される情報としては、共通設定情報１４Ａ、個別設定情報１４Ｂ、端末プログラム１４Ｔ、およびプログラム１４Ｐがある。
共通設定情報１４Ａは、各ＩＰ電話端末２に対して共通に設定される設定情報である。個別設定情報１４Ｂは、各ＩＰ電話端末２に対して個別に設定される設定情報である。端末プログラム１４Ｔは、各ＩＰ電話端末２で実行すべき最新のプログラムであり、必要に応じて共通設定情報１４Ａや個別設定情報１４Ｂとともに登録情報としてＩＰ電話端末２へ送信される。プログラム１４Ｐは、制御部１５での各種処理動作を実現するためのプログラムであり、予め記録媒体あるいはＬＡＮを介して接続された装置から記憶部１４へ格納される。
【００２８】
図３は、共通設定情報の構成例である。この例では、ＩＰ電話端末２へ端末ＩＰアドレスを割り当てるＤＨＣＰ（Dynamic Host Configuration Protocol）設定方式を用いるか否かを示す「ＤＨＣＰ設定」（割当要否情報）、情報設定要求の宛先アドレスを示す「管理用ＩＰアドレス」、呼制御に用いるプロキシサーバのＩＰアドレスを示す「Ｐｒｏｘｙサーバ名」、プロキシサーバへの接続で用いるポートの番号を示す「Ｐｒｏｘｙサーバポート番号」、呼制御に用いるレジスタサーバのＩＰアドレスを示す「Ｒｅｇｉｓｔｅｒサーバ名」、およびレジスタサーバへの接続で用いるポートの番号を示す「Ｒｅｇｉｓｔｅｒサーバポート番号」などから構成されている。
【００２９】
図４は、個別設定情報の構成例である。この例では、１つの行が１つのＩＰ電話端末２へ設定する個別設定情報に対応しており、「設定状態」は各行の個別設定情報に関するＩＰ電話端末への設定状態を示しており、「１」は当該行の個別設定情報がいずれかのＩＰ電話端末へ既に設定されている設定済（割当済）であることを示し、「  」（空欄）は当該行の個別設定情報がいずれのＩＰ電話端末にも設定されていない未設定（未割当）であることを示している。このほか、各行を識別するための「管理番号」、当該ＩＰ電話端末への内線呼び出しで用いる「内線番号」、当該ＩＰ電話端末２に割り当てられる「端末ＩＰアドレス」、当該ＩＰ電話端末２を利用する利用者を識別するための「ユーザＩＤ」、および当該ＩＰ電話端末２を利用する利用者を認証確認するための「パスワード」などから構成されている。
【００３０】
制御部１５は、ＣＰＵなどのマイクロプロセッサとその周辺回路を有し、記憶部１４のプログラム１４Ｐを読み込んで実行することにより、各種機能手段を実現する機能部である。この機能手段としては、端末設定手段１５Ａがある。
端末設定手段１５Ａは、ＬＡＮへの接続に応じて当該ＩＰ電話端末２から送信された情報設定要求の受信に応じて、記憶部１４の共通設定情報１４Ａや個別設定情報１４Ｂ、さらには端末プログラム１４Ｔを、登録情報として当該ＩＰ電話端末２へ送信する機能手段である。特に、個別設定情報１４Ｂを送信する際、端末設定手段１５Ａは、受信した情報設定要求に含まれる内線電話番号に対応する登録情報を、その要求元ＩＰ電話端末２へ送信する。
【００３１】
［ＩＰ電話端末］
次に、図５を参照して、本発明の第１の実施の形態にかかるＩＰ電話端末２について詳細に説明する。図５は、本発明の第１の実施の形態にかかるＩＰ電話端末の構成を示すブロック図である。
このＩＰ電話端末２は、音声パケットを送受信することによりＶｏＩＰ音声通信を実現する電話端末であり、通信インターフェース部（以下、通信Ｉ／Ｆ部という）２１、表示部２２、操作入力部２３、記憶部２４、制御部２５、および音声処理部２６が設けられている。
【００３２】
通信Ｉ／Ｆ部２１は、ＬＡＮを介して相手電話端末（図示せず）との間で音声パケットを送受信したり、ＩＰ電話端末設定装置１との間で各種制御パケットを送受信する回路部である。
表示部２２は、ＬＣＤやＬＥＤなどからなり、制御部２５からの指示に応じて各種情報や状態を表示する表示器である。
操作入力部２３は、操作キーやフックスイッチなどからなり、利用者の操作を検出して制御部２５へ出力する操作入力回路部である。
【００３３】
記憶部２４は、メモリやハードディスクなどからなり、制御部２５での処理動作に用いる各種情報を記憶する記憶装置である。この記憶部２４で記憶される情報としては、共通設定情報２４Ａ、個別設定情報２４Ｂ、およびプログラム２４Ｐがある。
共通設定情報２４Ａは、各ＩＰ電話端末２に対して共通に設定される設定情報である。個別設定情報２４Ｂは、各ＩＰ電話端末２に対して個別に設定される設定情報である。プログラム２４Ｐは、制御部２５での各種処理動作を実現するためのプログラムであり、予め記録媒体あるいはＬＡＮを介して接続されたＩＰ電話端末設定装置１などの管理装置から記憶部２４へ格納される。
【００３４】
共通設定情報２４Ａは、前述した図３の共通設定情報１４Ａと同様であり、ここでの詳細な説明は省略する。
図６は、個別設定情報の構成例である。この個別設定情報２４Ｂは、前述した図４の個別設定情報の１行分に相当し、「管理番号」、「内線番号」、「端末ＩＰアドレス」、「ユーザＩＤ」、および「パスワード」などの情報から構成されている。
【００３５】
制御部２５は、ＣＰＵなどのマイクロプロセッサとその周辺回路を有し、記憶部２４のプログラム２４Ｐを読み込んで実行することにより、各種機能手段を実現する機能部である。この機能手段としては、呼制御手段２５Ａ、および設定手段２５Ｂがある。
呼制御手段２５Ａは、当該ＩＰ電話端末２による発信、着信、通話などの呼制御を行う機能手段である。
【００３６】
設定手段２５Ｂは、操作入力部２３で検出された設定操作に応じて内線番号などの各種情報を記憶部２４の共通設定情報２４Ａあるいは個別設定情報２４Ｂとして設定する機能手段である。また、設定手段２５Ｂは、電源投入時に当該端末のＬＡＮへの接続検出に応じてＩＰ電話端末設定装置１へ自端末の内線番号を含む情報設定要求を送信するとともに、これに応じてＩＰ電話端末設定装置１から送信された登録情報を受信し動作制御用の情報として記憶部２４へ登録する。
【００３７】
音声処理部２６は、通信Ｉ／Ｆ部２１を介して受信した音声パケットを音声信号に変換してハンドセットやスピーカ（図示せず）から出力し、マイクから入力された音声信号を音声パケットに変換して通信Ｉ／Ｆ部２１へ出力する回路部である。
【００３８】
［第１の実施の形態の動作］
次に、図７〜図９を参照して、本発明の第１の実施の形態にかかるＩＰ電話端末設定装置１およびＩＰ電話端末２の動作について説明する。図７は、ＩＰ電話端末を設置する際の設置工事の手順を示すフローチャートである。図８は、本発明の第１の実施の形態にかかるＩＰ電話端末の初期設定処理を示すフローチャートである。図９は、本発明の第１の実施の形態にかかるＩＰ電話端末設定装置１およびＩＰ電話端末２で行われる情報設定処理を示すシーケンス図である。
【００３９】
ＩＰ電話端末２を設置する際、図７に示す手順で設置工事が行われる。まず、予め設計した各ＩＰ電話端末２に対する番号計画に基づき、オペレータがＩＰ電話端末設定装置１の操作入力部１３や画面表示部１２を用いて、共通設定情報１４Ａや個別設定情報１４Ｂを生成し、記憶部１４へ格納する（ステップ１００）。また、必要に応じてＩＰ電話端末２で用いる最新の端末プログラム１４Ｔを記憶部１４へ格納する。なお、これら共通設定情報１４Ａや個別設定情報１４Ｂは、端末プログラム１４Ｔと同様に、別の装置で生成してＩＰ電話端末設定装置１の記憶部１４へ格納してもよい。
【００４０】
次に、各ＩＰ電話端末２を、それぞれ所望の設置位置に配置し（ステップ１０１）、前述した図１に示すように、例えばハブ３を介してＩＰ電話端末設定装置１へ接続する（ステップ１０２）。そして、ＩＰ電話端末設定装置１やアドレス設定用のＤＨＣＰサーバ（図示せず）から、あるいは設置作業者によるＩＰ電話端末２での設定操作により、各ＩＰ電話端末２のＩＰアドレスが設定され（ステップ１０３）、オペレータによるＩＰ電話端末２での設定操作により、各ＩＰ電話端末２の内線番号が設定される（ステップ１０４）。
【００４１】
内線番号設定後、ＩＰ電話端末２から当該端末に固有の内線番号を含む情報設定要求がＩＰ電話端末設定装置１へＬＡＮを介して送信されて、ＩＰ電話端末設定装置１で端末設定処理が開始される（ステップ１０５）。
このようにして、各ＩＰ電話端末２に対して端末設定処理が実行され、共通設定情報１４Ａと、当該端末の内線番号に対応する個別設定情報１４ＢとがＩＰ電話端末２に送信されて登録される。その後、所定の動作試験を行ってＩＰ電話端末２の動作を確認し（ステップ１０６）、一連の設置工事を終了する。
【００４２】
ＩＰ電話端末２では、電源投入に応じて制御部２５の設定手段２５Ｂにより、図８の初期設定処理を実行する。
設定手段２５Ｂは、まず、通信Ｉ／Ｆ部２１によりＬＡＮへの接続有無を確認し（ステップ１１０）、接続が確認された場合は（ステップ１１０：ＹＥＳ）、記憶部２４の個別設定情報２４Ｂを確認して、自端末のＩＰアドレスが有効かどうか確認する（ステップ１１１）。ここで、ＩＰアドレスとして有効な値が設定されていない場合は（ステップ１１１：ＮＯ）、ＩＰアドレスが有効となるまで待機する。
【００４３】
一方、予め有効な値のＩＰアドレスが設定されていたり、上記待機中にオペレータにより有効なＩＰアドレスが設定された場合（ステップ１１１：ＹＥＳ）、記憶部２４の個別設定情報２４Ｂを確認して、自端末の内線番号が有効かどうか確認する（ステップ１１２）。ここで、ＩＰアドレスとして有効な値が設定されていない場合は（ステップ１１２：ＮＯ）、ＩＰアドレスが有効となるまで待機する。
その後、予め有効な値の内線番号が設定されていたり、上記待機中にオペレータにより有効な内線番号が設定された場合（ステップ１１２：ＹＥＳ）、ＩＰ電話端末設定装置１との間で情報設定処理を実行し（ステップ１１３）、この情報設定処理の終了に応じて、一連の初期設定処理を終了する。
【００４４】
ＩＰ電話端末２とＩＰ電話端末設定装置１とは、上記ステップ１１３において、図９のような手順により情報設定処理を実行する。
まず、ＩＰ電話端末２の設定手段２５Ｂは、予め記憶部２４の共通設定情報２４Ａに登録されている管理用ＩＰアドレスと、個別設定情報２４Ｂに登録されている端末ＩＰアドレスとを参照し、この管理用ＩＰアドレスを宛先アドレスとするとともに端末ＩＰアドレスを送信元アドレスとして用いた制御パケットで、登録情報の設定を要求する情報設定要求を通信Ｉ／Ｆ部２１からＬＡＮへ送信する（ステップ２００）。この際、設定手段２５Ｂは、記憶部２４の個別設定情報２４Ｂに登録されている内線番号と、記憶部２４に登録されているプログラム２４Ｐの改版レベルを示すバージョン情報をと確認し、情報設定要求で通知する。
【００４５】
ＩＰ電話端末２の記憶部２４には、工場出荷時に共通設定情報２４Ａと個別設定情報２４Ｂとが予め設定されている。その際、管理用ＩＰアドレスとして、ＩＰ電話端末設定装置１の固定ＩＰアドレスを登録しておくことにより、管理用ＩＰアドレスを宛先アドレスとした制御パケットで情報設定要求がＩＰ電話端末設定装置１へ送信される。なお、管理用ＩＰアドレスについては、ＩＰ電話端末２をＬＡＮに接続する前に、オペレータ操作によりＩＰ電話端末設定装置１のＩＰアドレスを記憶部２４へ設定するようにしてもよい。
【００４６】
ＩＰ電話端末設定装置１の制御部１５は、ＩＰ電話端末２からの情報設定要求を通信Ｉ／Ｆ部１１を介して受信した場合、端末設定手段１５Ａにより、記憶部１４から共通設定情報と未設定の個別設定情報とを登録情報として取得する（ステップ２０１）。この際、情報設定要求で通知された当該ＩＰ電話端末２の内線番号に対応する個別設定情報１４Ｂを記憶部１４から取得する。
【００４７】
また、情報設定要求で通知された当該ＩＰ電話端末２のプログラム２４Ｐのバージョン情報と、記憶部１４に格納されている端末プログラム１４Ｔのパージョン情報とを比較し、端末プログラム１４Ｔがプログラム２４Ｐより新しくプログラムの改版が必要な場合には、端末プログラム１４Ｔも登録情報として取得する。
そして、上記情報設定要求の送信元アドレスを宛先アドレスとする制御パケットで、上記共通設定情報および個別設定情報を含み、また必要に応じて端末プログラム１４Ｔを含む設定指示を、通信Ｉ／Ｆ部１１からＬＡＮへ送信する（ステップ２０２）。
【００４８】
ＩＰ電話端末２の設定手段２５Ｂは、通信Ｉ／Ｆ部２１を介してＩＰ電話端末設定装置１からの設定指示を受信し、その設定指示に登録情報として含まれる共通設定情報および個別設定情報で記憶部２４の共通設定情報２４Ａおよび個別設定情報２４Ｂを更新する（ステップ２０３）。また、設定指示に登録情報として端末プログラム１４Ｔが含まれている場合は、その端末プログラム１４Ｔで記憶部２４のプログラム２４Ｐを更新する。そして、設定完了をＩＰ電話端末設定装置１へ通知し（ステップ２０４）、一連の情報設定処理を終了する。
一方、ＩＰ電話端末設定装置１の端末設定手段１５Ａは、上記設定完了の通知に応じて、図４の個別設定情報１４Ｂのうち上記設定指示で送信した個別設定情報を設定済みに更新し（ステップ２０５）、一連の情報設定処理を終了する。
【００４９】
このように、本実施の形態では、ＩＰ電話端末２の設置工事の際、ＬＡＮへの接続に応じてＩＰ電話端末２から当該端末に固有の内線番号を含む情報設定要求を送信し、この情報設定要求に応じて、ＩＰ電話端末設定装置１で、その情報設定要求に含まれる当該ＩＰ電話端末の内線番号に対応する登録情報を記憶部１４から取得し、要求元のＩＰ電話端末２へ送信するようにしたので、ＩＰ電話端末設定装置１から各ＩＰ電話端末２の内線番号に一致した登録情報がそれぞれのＩＰ電話端末２に設定される。
したがって、ＩＰ電話端末にそれぞれ固有の登録情報を設定する際、ＬＡＮへの接続順に限定されることなく、それぞれのＩＰ電話端末の内線番号に対応する登録情報を極めて容易に設定でき、多くのＩＰ電話端末を設置する場合でも、その作業負担を大幅に軽減できる。
【００５０】
また、ＩＰ電話端末設定装置１の制御部１５で、ＩＰ電話端末２からの情報設定要求に含まれる当該ＩＰ電話端末２のプログラム２４Ｐのバージョン情報と、記憶部１４に格納されている端末プログラム１４Ｔのパージョン情報とを比較し、端末プログラム１４Ｔがプログラム２４Ｐより新しくプログラムの改版が必要な場合には、設定指示で端末プログラム１４Ｔも送信し、ＩＰ電話端末２の設定手段２５Ｂにより、設定指示に含まれている端末プログラム１４Ｔで記憶部２４のプログラム２４Ｐを更新するようにしてもよい。
これにより、ＩＰ電話端末の設定処理において、共通設定情報や個別設定情報だけでなく、プログラムもバージョンアップすることができ、保守に必要な作業負担を大幅に削減できる。
【００５１】
なお、前述した図７では、各ＩＰ電話端末２を所望の設置位置に配置した後、ＬＡＮを介してＩＰ電話端末設定装置１へ接続する場合を例として説明したが、これに限定されるものではない。例えば、設置場所とは異なる設置工事センタなどの場所で、予め各ＩＰ電話端末２へ登録情報を設定する場合には、図７のステップ１０１をステップ１０５以降に行うようにしてもよい。
【００５２】
［第２の実施の形態］
次に、図１０を参照して、本発明にかかる第２の実施の形態について説明する。図１０は、本発明の第２の実施の形態にかかるＩＰ電話端末設定装置１の構成を示すブロック図である。
【００５３】
前述した第１の実施の形態では、情報設定処理に用いるＩＰ電話端末２のＩＰアドレスとして、工場出荷時あるいはオペレータ操作により予め設定される場合を例として説明した。本実施の形態では、情報設定処理に用いるＩＰ電話端末２のＩＰアドレスを、ＩＰ電話端末設定装置１で自動的に割り当てるようにしたものである。
前述した第１の実施の形態にかかるＩＰ電話端末設定装置１（図２参照）と比較して、記憶部１４にアドレス管理情報１４Ｃが追加されており、制御部１５にアドレス割当手段１５Ｂが設けられている。
【００５４】
アドレス管理情報１４Ｃは、情報設定処理に使用してもよい複数のＩＰアドレスと、そのＩＰアドレスの割当状態とを関連付けて管理するテーブルである。
アドレス割当手段１５Ｂは、ＤＨＣＰに基づいて、ＩＰ電話端末２からのアドレス割当要求に応じてアドレス管理情報１４Ｃのうち現在割り当てられていない任意のＩＰアドレスを選択して、当該ＩＰ電話端末２へ割り当てる機能手段である。
【００５５】
［第２の実施の形態の動作］
次に、図１１および図１２を参照して、本発明の第２の実施の形態にかかるＩＰ電話端末設定装置１およびＩＰ電話端末２の動作について説明する。図１１は、本発明の第２の実施の形態にかかるＩＰ電話端末の初期設定処理を示すフローチャートである。図１２は、本発明の第２の実施の形態にかかるＩＰ電話端末設定装置１およびＩＰ電話端末２で行われるＩＰアドレス割当処理を示すシーケンス図である。なお、設置工事の手順については、前述した図７と同様であり、ここでの詳細な説明は省略する。
【００５６】
ＩＰ電話端末２では、電源投入に応じて制御部２５の設定手段２５Ｂにより、図１１の初期設定処理を実行する。
設定手段２５Ｂは、まず、通信Ｉ／Ｆ部２１によりＬＡＮへの接続有無を確認し（ステップ１１０）、接続が確認された場合は（ステップ１１０：ＹＥＳ）、記憶部２４の共通設定情報２４Ａを確認して、ＩＰアドレスの自動割当機能であるＤＨＣＰを使用するかどうか確認する（ステップ１１５）。
【００５７】
ここで、ＤＨＣＰが不使用に設定されている場合は（ステップ１１５：ＮＯ）、前述したステップ１１１へ移行する。
一方、ＤＨＣＰを使用するよう設定されている場合は（ステップ１１５：ＹＥＳ）、ＩＰアドレス割当処理を実行して、自端末のＩＰアドレスをＩＰ電話端末設定装置１から割り当ててもらった後（ステップ１１６）、前述したステップ１１１へ移行する。
【００５８】
ＩＰ電話端末２とＩＰ電話端末設定装置１とは、上記ステップ１１４において、図１２のような手順によりＩＰアドレス割当処理を実行する。なお、以下では、ブロードキャスト方式の制御パケットを用いて、ＩＰ電話端末２とＩＰ電話端末設定装置１との間で各種情報がやり取りされる。
【００５９】
まず、ＩＰ電話端末２の設定手段２５Ｂは、ＤＨＣＰに基づいて自端末に対するＩＰアドレス割当を要求するアドレス割当要求（DISCOVER）を通信Ｉ／Ｆ部２１からＬＡＮへ送信する（ステップ２１０）。
ＩＰ電話端末設定装置１の制御部１５は、通信Ｉ／Ｆ部１１を介してＩＰ電話端末２からのアドレス割当要求を受信し、アドレス割当手段１５Ｂで、記憶部１４のアドレス管理情報１４Ｃを参照する。
【００６０】
そして、アドレス割当手段１５Ｂは、アドレス管理情報１４Ｃのうち、現在いずれの端末にも割り当てられていない空きＩＰアドレスを選択して取得し（ステップ２１１）、そのＩＰアドレスを含む割当アドレス候補（OFFER）を通信Ｉ／Ｆ部１１からＬＡＮへ送信する（ステップ２１２）。
ＩＰ電話端末２の設定手段２５Ｂは、ＩＰ電話端末設定装置１からの割当アドレス候補を受信し、その割当アドレス候補で通知されたＩＰアドレスを選択し（ステップ２１３）、当該ＩＰアドレスの使用許諾要求（REQUEST）を送信する（ステップ２１４）。
【００６１】
ＩＰ電話端末設定装置１のアドレス割当手段１５Ｂは、ＩＰ電話端末２からのアドレス使用許諾要求に基づき、アドレス管理情報１４Ｃのうち許諾が求められたＩＰアドレスを割当中状態に更新し（ステップ２１５）、アドレス使用許諾（PACK）を送信する（ステップ２１６）。
ＩＰ電話端末２の設定手段２５Ｂは、ＩＰ電話端末設定装置１からのアドレス使用許諾を受信し、当該ＩＰアドレスを記憶部２４へ自端末のＩＰアドレスとして更新し（ステップ２１７）、一連のＩＰアドレス割当処理を終了する。
【００６２】
このように、本実施の形態では、情報設定処理に用いるＩＰ電話端末２のＩＰアドレスを、ＩＰ電話端末設定装置１で自動的に割り当てるようにしたので、オペレータ操作により情報設定処理に用いるＩＰ電話端末２のＩＰアドレスを設定する必要がなくなり、ＩＰ電話端末２の情報設定処理における作業負担を軽減できる。
【００６３】
［第３の実施の形態］
次に、本発明にかかる第３の実施の形態について説明する。前述した第１の実施の形態では、ＩＰ電話端末２において当該端末への電源投入直後にＬＡＮへの接続検出に応じて、記憶部２４に登録されている管理用ＩＰアドレスに基づき情報設定要求を送信する場合について説明した。この際、ＩＰ電話端末２が一時的に電源供給停止状態となった後に再び電源投入された場合、前述した図８の初期設定処理により、情報設定処理が実行されてしまう。したがって、ＩＰ電話端末２で、初期設定処理の完了を記憶しておき、初期設定処理が完了していた場合は、上記初期設定処理において情報設定処理を行わないよう判断すればよい。
【００６４】
本実施の形態では、ＩＰ電話端末設定装置１からＩＰ電話端末２に対して情報設定を行う際、その共通設定情報の管理用ＩＰアドレスとして、ＩＰ電話端末設定装置１のＩＰアドレス以外のＩＰアドレスを登録するようにしたものである。
すなわち、ＩＰ電話端末設定装置１の記憶部１４に、管理用ＩＰアドレスとしてＩＰ電話端末設定装置１のＩＰアドレス以外のＩＰアドレスが記述された共通設定情報１４Ａを予め記憶しておけばよい。
【００６５】
これにより、ＩＰ電話端末２が一時的に電源供給停止状態となった後に再び電源投入されて、上記のような初期設定処理により情報設定処理が開始された場合でも、これにより送信される情報設定要求がＩＰ電話端末設定装置１以外のＩＰアドレスへ送信されるため、前述した図９の情報設定処理の実行を回避できる。
【００６６】
なお、一般的なＩＰ電話システムでは、ＩＰ電話端末設定装置１は、設置工事の際にのみ使用され、運用時にはＬＡＮから外されて、図１３に示すような接続構成となる。この例では、各ＩＰ電話端末２がそれぞれデスク上に設置され、ハブ３に接続されている。また、ハブ３は、運用サーバ５とＬＡＮ４を介して接続される。
運用サーバ５は、各ＩＰ電話端末２に設定した共通あるいは個別設定情報の変更や、ＩＰ電話端末２で用いるプログラム２４Ｐの更新など、各種メンテナンスを行う装置である。
【００６７】
この運用サーバ５には、各ＩＰ電話端末２から定期的に情報設定要求を送信し、設定情報やプログラムの更新を確認する必要がある。したがって、ＩＰ電話端末設定装置１からＩＰ電話端末２へ登録する共通設定情報の管理用ＩＰアドレスとして、運用サーバ５のＩＰアドレスを記述しておくことにより、情報設定処理が終了した時点で、前述した管理用ＩＰアドレスが運用サーバ５のＩＰアドレスに書き換えられ、それ以降、運用サーバ５へアクセスすることになる。これにより、情報設定処理が繰り返し行われることを回避できるだけでなく、運用サーバ５へのアクセスが自動的に行われることになり、ＩＰ電話システム全体のメンテナンス管理をスムーズに実行できる。
【００６８】
なお、以上の各実施の形態における、ＩＰ電話端末設定装置１やＩＰ電話端末２の構成、設置工事の手順、初期設定処理、情報設定処理、ＩＰアドレス割当処理、処理手順、共通設定情報や個別設定情報の構成については、前述した説明の範囲にのみ限定されるものではなく、本発明の主旨を逸脱しない範囲でそれぞれ変更してもよい。
【図面の簡単な説明】
【００６９】
【図１】本発明の第１の実施の形態にかかるＩＰ電話端末設定装置およびＩＰ電話端末の設置工事の際の接続例を示すブロック図である。
【図２】本発明の第１の実施の形態にかかるＩＰ電話端末設定装置の構成を示すブロック図である。
【図３】本発明の第１の実施の形態にかかるＩＰ電話端末設定装置で用いる共通設定情報の構成例である。
【図４】本発明の第１の実施の形態にかかるＩＰ電話端末設定装置で用いる個別設定情報の構成例である。
【図５】本発明の第１の実施の形態にかかるＩＰ電話端末の構成を示すブロック図である。
【図６】本発明の第１の実施の形態にかかるＩＰ電話端末で用いる個別設定情報の構成例である。
【図７】ＩＰ電話端末を設置する際の設置工事の手順を示すフローチャートである。
【図８】本発明の第１の実施の形態にかかるＩＰ電話端末の初期設定処理を示すフローチャートである。
【図９】本発明の第１の実施の形態にかかるＩＰ電話端末設定装置１およびＩＰ電話端末２で行われる情報設定処理を示すシーケンス図である。
【図１０】本発明の第２の実施の形態にかかるＩＰ電話端末設定装置１の構成を示すブロック図である。
【図１１】本発明の第２の実施の形態にかかるＩＰ電話端末の初期設定処理を示すフローチャートである。
【図１２】本発明の第２の実施の形態にかかるＩＰ電話端末設定装置１およびＩＰ電話端末２で行われるＩＰアドレス割当処理を示すシーケンス図である。
【図１３】本発明の第３の実施の形態にかかるＩＰ電話端末設定装置およびＩＰ電話端末の運用時の接続例である。
【符号の説明】
【００７０】
１…ＩＰ電話端末設定装置、１１…通信Ｉ／Ｆ部、１２…画面表示部、１３…操作入力部、１４…記憶部、１４Ａ…共通設定情報、１４Ｂ…個別設定情報、１４Ｃ…アドレス管理情報、１４Ｐ…プログラム、１４Ｔ…端末プログラム、１５…制御部、１５Ａ…端末設定手段、２…ＩＰ電話端末、２１…通信Ｉ／Ｆ部、２２…表示部、２３…操作入力部、２４…記憶部、２４Ａ…共通設定情報、２４Ｂ…個別設定情報、２５…制御部、２５Ａ…呼制御手段、２５Ｂ…設定手段、２６…音声処理部、３…ハブ、４…ＬＡＮ、５…運用サーバ。
【図１】
2006074119.tif 000003
【図２】
2006074119.tif 000004
【図３】
2006074119.tif 000005
【図４】
2006074119.tif 000006
【図５】
2006074119.tif 000007
【図６】
2006074119.tif 000008
【図７】
2006074119.tif 000009
【図８】
2006074119.tif 000010
【図９】
2006074119.tif 000011
【図１０】
2006074119.tif 000012
【図１１】
2006074119.tif 000013
【図１２】
2006074119.tif 000014
【図１３】
2006074119.tif 000015